(57)【特許請求の範囲】
【請求項１】
機体フレーム（１）の前側に圃場の穀稈を収穫する刈取前処理装置（３）を設け、該刈取前処理装置（３）の後方左側に収穫された穀稈の脱穀を行う脱穀装置（４）を設け、前記刈取前処理装置（３）の後方右側に操縦者が搭乗する操縦部（５）を設け、該操縦部（５）の下方にエンジンを搭載するエンジンルーム（６）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を前記脱穀装置（４）に搬送するフィーダハウス（３Ｄ）を備え、
前記フィーダハウス（３Ｄ）の枠体（１０）の上壁に、ステー（５０）に支持された吸塵ファン（４０）を設け、
側面視において、前記刈取前処理装置（３）を待機位置に上昇させた場合に、前記吸塵ファン（４０）が操縦部（５）のサイドパネル（５Ｂ）よりも上方に位置し、
前記フィーダハウス（３Ｄ）の前後方向の中間部に、前記エンジンの出力回転が伝動される左右方向に延在する第１回転軸（１３）を設け、
前記ステー（５０）の上部に左右方向に延在する第２回転軸（４１）を回転自在に設け、
前記第１回転軸（１３）におけるフィーダハウス（３Ｄ）の右壁よりも右側に延出する部位に第１プーリ（４３）を支持し、
前記第２回転軸（４１）の左部に吸塵ファン（４０）を支持し、前記第２回転軸（４１）の右部に第２プーリ（４４）を支持し、
前記第１プーリ（４３）と第２プーリ（４４）にベルト（４５）を巻回したことを特徴とするコンバイン。
【請求項２】
平面視において、前記枠体（１０）の上壁における右側前部に、前記吸塵ファン（４０）を設けた請求項１記載のコンバイン。
【請求項３】
前記ステー（５０）は、前記枠体（１０）の上壁に着脱自在に固定される固定部（５１）と、該固定部（５１）から上方に向かって延在する柱部（５２）と、該柱部（５２）の上部に、前記第２回転軸（４１）が内嵌される左右方向に延在する筒部（５３）から形成され、
横方向の断面視において、前記柱部（５２）は、左部が開口されたコの字形状に形成した請求項１又は２記載のコンバイン。
【発明の詳細な説明】
【技術分野】
【０００１】
本発明は、刈取前処理装置を備えたコンバインに関するものである。
【背景技術】
【０００２】
従来、刈取前処理装置のオーガ装置内で巻き上がる塵埃を集塵すると共に、フィーダハウス内に滞留する塵埃を外部に排出するために、フィーダハウスの枠体の右壁に吸引ファンを設け、フィーダハウスの枠体の左壁に吸塵口を技術が知られている。（特許文献１）
【先行技術文献】
【特許文献】
【０００３】
【特許文献１】特開２０１２−１１５１６１号公報
【発明の概要】
【発明が解決しようとする課題】
【０００４】
しかし、特許文献１に開示された技術では、刈取前処理装置のオーガ装置から操縦部に飛来してきた塵埃によって操縦部の操作環境が悪化する恐れがあった。また、エンジンによって加熱された空気によって操縦部の温度が上昇して操作環境を悪化させる恐れがあった。
【０００５】
そこで、本発明の課題は、刈取前処理装置のオーガ装置から操縦部に飛来してきた塵埃を集塵すると共に、エンジンによって加熱された操縦部の空気を外部に排風することができるコンバインを提供することにある。
【課題を解決するための手段】
【０００６】
上記課題を解決した本発明は次記のとおりである。
請求項１に係る発明は、機体フレーム（１）の前側に圃場の穀稈を収穫する刈取前処理装置（３）を設け、該刈取前処理装置（３）の後方左側に収穫された穀稈の脱穀を行う脱穀装置（４）を設け、前記刈取前処理装置（３）の後方右側に操縦者が搭乗する操縦部（５）を設け、該操縦部（５）の下方にエンジンを搭載するエンジンルーム（６）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を前記脱穀装置（４）に搬送するフィーダハウス（３Ｄ）を備え、前記フィーダハウス（３Ｄ）の枠体（１０）の上壁に、ステー（５０）に支持された吸塵ファン（４０）を設け、側面視において、前記刈取前処理装置（３）を待機位置に上昇させた場合に、前記吸塵ファン（４０）が操縦部（５）のサイドパネル（５Ｂ）よりも上方に位置し、前記フィーダハウス（３Ｄ）の前後方向の中間部に、前記エンジンの出力回転が伝動される左右方向に延在する第１回転軸（１３）を設け、前記ステー（５０）の上部に左右方向に延在する第２回転軸（４１）を回転自在に設け、前記第１回転軸（１３）におけるフィーダハウス（３Ｄ）の右壁よりも右側に延出する部位に第１プーリ（４３）を支持し、前記第２回転軸（４１）の左部に吸塵ファン（４０）を支持し、前記第２回転軸（４１）の右部に第２プーリ（４４）を支持し、前記第１プーリ（４３）と第２プーリ（４４）にベルト（４５）を巻回したことを特徴とするコンバインである。
【０００７】
請求項２に係る発明は、平面視において、前記枠体（１０）の上壁における右側前部に、前記吸塵ファン（４０）を設けた請求項１記載のコンバインである。
【０００８】
【０００９】
請求項３に係る発明は、前記ステー（５０）は、前記枠体（１０）の上壁に着脱自在に固定される固定部（５１）と、該固定部（５１）から上方に向かって延在する柱部（５２）と、該柱部（５２）の上部に、前記第２回転軸（４１）が内嵌される左右方向に延在する筒部（５３）から形成され、横方向の断面視において、前記柱部（５２）は、左部が開口されたコの字形状に形成した請求項１又は２記載のコンバインである。
【発明の効果】
【００１０】
請求項１記載の発明によれば、刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、フィーダハウス（３Ｄ）の枠体（１０）の上壁に、ステー（５０）に支持された吸塵ファン（４０）を設け、側面視において、刈取前処理装置（３）を待機位置に上昇させた場合に、吸塵ファン（４０）が操縦部（５）のサイドパネル（５Ｂ）よりも上方に位置するので、刈取前処理装置（３）のオーガ装置（３Ｃ）から操縦部（５）に飛来してくる塵埃を集塵ファン（４０）で集塵して操縦部（５）の外部に排出し、また、エンジンによって加熱された操縦部（５）内の空気を集塵ファン（４０）で操縦部（５）の外部に排風して操縦部（５）の操作環境を良好に維持することができる。
また、フィーダハウス（３Ｄ）の前後方向の中間部に、エンジンの出力回転が伝動される左右方向に延在する第１回転軸（１３）を設け、ステー（５０）の上部に左右方向に延在する第２回転軸（４１）を回転自在に設け、第１回転軸（１３）におけるフィーダハウス（３Ｄ）の右壁よりも右側に延出する部位に第１プーリ（４３）を支持し、第２回転軸（４１）の左部に吸塵ファン（４０）を支持し、第２回転軸（４１）の右部に第２プーリ（４４）を支持し、第１プーリ（４３）と第２プーリ（４４）にベルト（４５）を巻回したので、エンジンの出力回転で吸塵ファン（４０）を回転させることができ、吸塵ファン（４０）を回転させるモータ等を別途に設ける必要がない。
【００１１】
請求項２記載の発明によれば、請求項１記載の発明の効果に加えて、平面視において、枠体（１０）の上壁における右側前部に、吸塵ファン（４０）を設けたので、操縦部（５）の操作環境をより良好に維持することができる。
【００１２】
【００１３】
請求項３記載の発明によれば、請求項１又は２記載の発明の効果に加えて、ステー（５０）は、枠体（１０）の上壁に着脱自在に固定される固定部（５１）と、該固定部（５１）から上方に向かって延在する柱部（５２）と、該柱部（５２）の上部に、第２回転軸（４１）が内嵌される左右方向に延在する筒部（５３）から形成され、横方向の断面視において、柱部（５２）は、左部が開口されたコの字形状に形成したので、ステー（５０）を軽量で、且つ、高剛性に形成して、ステー（５０）の変形を防止することができる。
【図面の簡単な説明】
【００１４】
【図１】コンバインの平面図である。
【図２】コンバインの左側面図である。
【図３】コンバインの正面図である。
【図４】フィーダハウスの左側面図である。
【図５】フィーダハウスの左右方向に縦方向に断面した正面図である。
【図６】フィーダハウスの右側面図である。
【図７】フィーダハウスの前後方向に縦方向に断面した左側面図である。
【図８】吸塵ファンを備えるフィーダハウスの左右方向に縦方向に断面した正面図である。
【図９】吸塵ファンを備えるフィーダハウスの左側面図である。
【図１０】他のテンションアームの正面図である。
【発明を実施するための形態】
【００１５】
図１〜３に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００１６】
操縦部５の前部には、操作レバー等が配置されたフロントパネル５Ａが設けられ、操縦部５の左部には、走行装置２の走行速度を増減速する変速レバー等が配置されたサイドパネル５Ｂが設けられている。また、操縦部５の下部には、エンジンを内装するエンジンルーム６が設けられ、操縦部５の後側には、脱穀・選別処理された穀粒を貯留するグレンタンク７が設けられ、グレンタンク７の後側には、穀粒を外部に排出する排出筒８が設けられている。排出筒８は、グレンタンク７の下部に連通され上下方向に延在する縦排出筒と、縦排出筒の上部に連通され前後方向に延在する横排出筒から形成されている。
【００１７】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００１８】
図４〜７に示すように、フィーダハウス３Ｄの枠体１０の左右壁の後部には、エンジンの出力回転が伝動される左右方向に延存する回転軸１１が架設され、回転軸１１の左部には、第１スプロケット（図示省略）が支持されている。枠体１０の左壁の前部には、左右方向に延存する支軸１２が設けられ、支軸１２の左部には、第２スプロケット（図示省略）が回転自在に支持されている。なお、支軸１２の左部における第２スプロケットよりも左側部位には、エンジンの出力回転を掻込装置３Ａ等に伝動する第３スプロケット（図示省略）が並設されている。
【００１９】
枠体１０の左右壁の略中間部には、左右方向に延在する回転軸（請求項の「第１回転軸」）１３が架設されている。枠体１０の左壁よりも左側に延出した回転軸１３の左部には、スプロケット１４が支持されている。
【００２０】
回転軸１３は、左右方向に延在する円筒状の筒体１３Ａにベアリング１３Ｂを介して内装されている。これにより、枠体１０内を移送される穀稈が、回転軸１３に絡み付くのを防止することができる。  
【００２１】
枠体１０の左壁よりも左側に延出した回転軸１３の左部におけるスプロケット１４よりも右側部位には、テンションアーム１５のアーム１５Ａの基部が、回転自在に支持されている。テンションアーム１５は、アーム１５Ａと、アーム１５Ａの先端部に回転自在に支持されたスプロケット１５Ｂから形成されている。
【００２２】
アーム１５Ａの前後方向の中間部には、バネ等からなる付勢手段１６の後部が連結されている。付勢手段１６の前部は、枠体１０の左壁の上部に固定されている。テンションアーム１５は、後上がり姿勢に設けられ、付勢手段１６は、後下がり姿勢で設けられ、テンションアーム１５のアーム１５Ａと付勢手段１６とは、略９０度の交差角度をもって連結されている。
【００２３】
枠体１０の左壁における前側下部には、アイドラ１７が設けられ、枠体１０の左壁における回転軸１３よりも後側下部には、アイドラ１８とアイドラ１９が設けられている。
【００２４】
第１スプロケットと、スプロケット１５Ｂと、スプロケット１４と、第２スプロケットと、アイドラ１７と、アイドラ１８と、アイドラ１９には、チェン２０が巻回されている。
【００２５】
これにより、エンジンの出力回転を掻込装置３Ａ等に伝動するチェン２０を駆動して、回転軸１３を回動することができる。また、チェン２０の張力は、テンションアーム１５によって適正な張力に調整され、チェン２０の左右と上下方向への蛇行もアイドラ１７〜１９によって抑制されている。
【００２６】
枠体１０の左壁には、スプロケット１４、テンションアーム１５、チェン２０等を覆う、カバー２１が着脱自在に設けられている。これにより、作業者がチェン２０等に接触することを防止することができる。
【００２７】
回転軸１１における枠体１０の内部に位置する部位には、回転体２２が支持され、回転体２２の外周部には、左右方向に所定の間隔を隔てて左スプロケット２３Ａと右スプロケット２３Ｂが並設されている。なお、本明細書では、左スプロケット２３Ａと右スプロケット２３Ｂを総称して後スプロケット２３と言う。
【００２８】
枠体１０の左右壁の前部には、左右方向に延在する回転軸２５が架設され、回転軸２５における枠体１０の内部に位置する部位には、回転体２６が支持され、回転体２６の外周部には、左右方向に所定の間隔を隔てて左スプロケット２７Ａと右スプロケット２７Ｂが並設されている。なお、本明細書では、左スプロケット２７Ａと右スプロケット２７Ｂを総称して前スプロケット２７と言う。
【００２９】
左スプロケット２３Ａと左スプロケット２７Ａには、左スラットチェン２８Ａが巻回され、右スプロケット２３Ｂと右スプロケット２７Ｂには、右スラットチェン２８Ｂが巻回されている。また、左スラットチェン２８Ａと右スラットチェン２８Ｂには、前後方向に所定の間隔を隔てて、略コの字状に形成されたスラット２９が架設されている。これにより、オーガ装置３Ｃからフィーダハウス３Ｄに搬送されてきた穀稈を後方に効率良く移送して脱穀装置に搬送することができる。なお、本明細書では、左スラットチェン２８Ａと右スラットチェン２８Ｂを総称してスラットチェン２８と言う。
【００３０】
図８，９に示すように、枠体１０の上壁における右側前部には、吸塵ファン４０が設けられている。これにより、フィーダハウス３Ｄを上昇させて待機姿勢に位置させた場合には、側面視において、吸塵ファン４０が操縦部５のサイドパネル５Ｂよりも上側に移動させることができるので、吸塵ファン４０で操縦部５内に飛散している塵埃を吸塵して操縦部５の外部に塵埃を排出することができ、また、操縦部５内の空気を吸引して対流を起こし操縦部５内の熱気を外部に放出することができる。
【００３１】
吸塵ファン４０は、枠体１０の上壁における前部を覆うように設けられたプレート３０に着脱自在に固定されたステー５０に支持されている。
【００３２】
正面視において、プレート３０は、下側が開口された略コの字形状に形成され、プレート３０の上下方向に延在する左脚は枠体１０の左壁に着脱自在に固定され、プレート３０の上下方向に延在する右脚は枠体１０の右壁に着脱自在に固定されている。
【００３３】
ステー５０は、プレート３０の上面に着脱自在に取付けられる矩形状の固定部５１と、固定部５１の上面の右部に形成された上下方向に延在する柱部５２と、柱部５２の上部に形成された左右方向に延在する円筒状の筒部５３を備えている。
【００３４】
柱部５２を横方向に断面した形状は、左側が開口された略コの字形状に形成されている。これにより、柱部５２は、軽量で、剛性が高く、柱部５２に生じる変形を防止することができる。
【００３５】
正面視において、柱部５２の下部は、左下り傾斜に形成、すなわち、下側に向かうにしたがって左方向に延在して形成されている。また、左側面視において、固定部５１と柱部５２の下部は略三角形状のリブ５４で連結されている。これにより、柱部５２の下部の剛性を高めて、柱部５２の下部の変形をより防止することができる。
【００３６】
柱部５２の右面の上下方向の中間部には、後述するテンションアーム４６を回転自在に支持する左右方向に延在する支軸５５が設けられている。
【００３７】
筒部５３の左部には、吸塵ファン４０の外周部を覆うファンカバー５６を着脱自在に固定する円形状のプレート５７が設けられ、筒部５３の右部には、後述するベルトカバー４８を支持する支持部５８が設けられている。
【００３８】
ファンカバー５６は、円筒状のケース部５６Ａと、ケース部５６Ａの右端部に設けられた円形状の取付部５６Ｂと、取付部５６Ｂとケース部５６Ａを連結する３本のアーム部５６Ｃから形成されている。
【００３９】
ステー５０のプレート５７の径と、ファンカバー５６の取付部５６Ｂの径は、吸塵ファン４０の羽根が放射状に立設された円形状の基部の径よりも小さく形成されている。これにより、プレート５７等が障害にならず吸塵ファン４０の吸塵効率の低下を防止することができる。
【００４０】
また、左側面視において、ステー５０の柱部５２とファンカバー５６の１本のアーム部５６Ｃを対向する位置に設けられている。これにより、柱部５２が障害にならず吸塵ファン４０の吸塵効率の低下をより防止することができる。
【００４１】
吸塵ファン４０の基部は、左右方向に延在する回転軸（請求項の「第２回転軸」）４１の左部に着脱自在に固定されている。回転軸４１は、ベアリング４２を介して筒部５３に回転自在に内嵌されている。
【００４２】
フィーダハウス３Ｄに設けられた回転軸１３の右部にはプーリ（請求項の「第１プーリ」）４３が支持され、回転軸４１の右部にはプーリ（請求項の「第２プーリ」）４４が支持され、プーリ４３とプーリ４４にはベルト４５が巻回されている。これにより、エンジンの出力回転を回転軸１３、ベルト４５等を介して吸塵ファン５０に伝動して、吸塵ファン４０を回転させることができる。
【００４３】
ベルト４５の張力は、テンションアーム４６によって所定の張力に調整されている。テンションアーム４６は、基部が支軸５５に回転自在に支持されたアーム４６Ａと、アーム４６Ａの先端部に回転自在に支持されたプーリ４６Ｂから形成されている。
【００４４】
テンションアーム４６のプーリ４６Ｂは、支軸５５に装着されたコイルスプリング等の付勢手段４７によってベルト４５に押圧されている。付勢手段４７の上端部は、筒部５３に係合され、付勢手段４７の下端部は、アーム４６Ａに係合されている。これにより、ベルト４５の張力が適正な張力に維持されて、ベルト４５がプーリ４４等からの脱落するのを防止することができる。
【００４５】
ベルト４５の右側、すなわち、操縦部５側には、プーリ４３，４４、ベルト４５を右側から覆うベルトカバー４８が設けられている。これにより、操縦者がベルト４５等に接触するのを防止して安全性を高めることができる。また、ベルトカバー４８の上部は、筒部５３の設けられた支持部５８に支持されている。
【００４６】
図１０に示すように、テンションアーム４６のアーム４６Ａの基部を、筒部５３に回転自在に外嵌し、アーム４６Ａの基部の両側にＣリング等の固定リング５９を設けて左右方向の移動を規制することもできる。これにより、別途、テンションアーム４６のアーム４６Ａを支持する部材を形成する必要がなくなり部品点数を削減することができる。
【符号の説明】
【００４７】
１        機体フレーム
３        刈取前処理装置
３Ａ      掻込装置
３Ｂ      刈刃装置
３Ｃ      オーガ装置
３Ｄ      フィーダハウス
４        脱穀装置
５        操縦部
５Ｂ      サイドパネル
６        エンジンルーム
１０      枠体
１３      回転軸（第１回転軸）
４０      吸塵ファン
４１      回転軸（第２回転軸）
４３      プーリ（第１プーリ）
４４      プーリ（第２プーリ）
４５      ベルト
５０      ステー
５１      固定部
５２      柱部
５３      筒部
【図１】
0006868231.tif 000002
【図２】
0006868231.tif 000003
【図３】
0006868231.tif 000004
【図４】
0006868231.tif 000005
【図５】
0006868231.tif 000006
【図６】
0006868231.tif 000007
【図７】
0006868231.tif 000008
【図８】
0006868231.tif 000009
【図９】
0006868231.tif 000010
【図１０】
0006868231.tif 000011